(57)【要約】【課題】鉛直方向に対して傾斜して埋設されても構造物を設置することができる杭を提供する。【解決手段】杭１は、先端に設けられる先導部１１Ｄを有する本体部１１と、前記先導部１１Ｄに、前記本体部１１と同軸に設けられるオーガ部１３と、前記本体部１１の上端部に配置され、前記本体部１１と同軸に設けられる軸部１５と、前記軸部１５を水平方向の第１の方向及び前記第１の方向とは異なる第２の方向に変位させる変位機構２と、を備える。従って、杭１が鉛直方向に対して傾斜して埋設されても構造物を設置することができるという効果がある。【選択図】図１
2018096076.tif 000002
【特許請求の範囲】
【請求項１】
先端に設けられる先導部を有する本体部と、
前記先導部に、前記本体部と同軸に設けられるオーガ部と、
前記本体部の上端部に配置され、前記本体部と同軸に設けられる軸部と、
前記軸部を水平方向の第１の方向及び前記第１の方向とは異なる第２の方向に変位させる変位機構と、
を備える杭。
【請求項２】
前記変位機構は、
前記杭が鉛直方向に埋設された場合に、前記本体部の内部に水平方向に渡されるバーと、
前記軸部の下端に設けられ、前記バーを挿通する挿通孔を有するリングと、
を備える請求項１に記載の杭。
【請求項３】
前記変位機構は、
前記軸部の揺動範囲を規制する揺動規制部をさらに備える請求項１又は請求項２に記載の杭。
【請求項４】
前記本体部の上端部に設けられ、外部の回転力が伝達される係合部を有する係合部材を備える請求項１から請求項３までのいずれか１項に記載の杭。
【請求項５】
前記係合部は、
前記係合部材の径方向に中心に向かって凹となるように切り欠かれる請求項４に記載の杭。
【請求項６】
前記本体部の上端部に設けられ、外部の回転力が伝達される係合部を有する係合部材をさらに備え、
前記揺動規制部は、
前記係合部材に設けられ、前記軸部を挿通する軸穴である請求項３に記載の杭。
【発明の詳細な説明】
【技術分野】
【０００１】
本発明は、杭に関する。
【背景技術】
【０００２】
建造物を地表に構築する際、地中に杭が埋設される。例えば、工事現場などに設置される仮設ゲートや、仮設フェンスは、容易に倒壊しないように支柱の基礎に複数の杭が埋設される。そして、これらの杭は、大掛かりな地中への打ち込み装置を用いないで済むように、或いは騒音対策のために、杭の長手方向にオーガが設けられ、鉛直方向に押圧されながら回転されることにより地中に埋め込まれる。
【０００３】
近年では、杭と建設される構造物との接続が容易になるように、杭の頭部にネジ切りが施された軸が設けられた軸付きの杭が用いられてきた（例えば、特許文献１）。
【０００４】
しかし、このオーガ付きの杭は正確に鉛直方向に埋設することが難しく、鉛直方向に対して斜めになってしまうことが多かった。
【０００５】
このような場合、構造物の側において軸の傾斜を吸収するか、吸収しきれない場合には杭を一度引き抜いて埋設しなおす必要があった。
【先行技術文献】
【特許文献】
【０００６】
【特許文献１】特許第５８００１３９号公報
【発明の概要】
【発明が解決しようとする課題】
【０００７】
本発明の解決しようとする課題は、鉛直方向に対して傾斜して埋設されても構造物を設置することができる杭を提供することである。
【課題を解決するための手段】
【０００８】
本発明は、先端に設けられる先導部を有する本体部と、前記先導部に、前記本体部と同軸に設けられるオーガ部と、前記本体部の上端部に配置され、前記本体部と同軸に設けられる軸部と、前記軸部を水平方向の第１の方向及び前記第１の方向とは異なる第２の方向に変位させる変位機構と、を備える杭を提供する。
【発明の効果】
【０００９】
本発明によれば、鉛直方向に対して傾斜して埋設されても構造物を設置することができる杭を提供することができる。
【図面の簡単な説明】
【００１０】
【図１】杭の斜視図。
【図２】杭の正面図。
【図３】杭の平面図。
【図４】変位機構の斜視図。
【図５】第１の例に係るアタッチメントを示す図。
【図６】第２の例に係るアタッチメントを示す図。
【発明を実施するための形態】
【００１１】
以下、本発明の一実施形態に係る杭１を、図面を参照しながら説明する。
【００１２】
（杭の構成）
図１は杭１の斜視図、図２は杭１の正面図、図３は杭１の平面図である。図１から図３までに示すように、杭１は、先端に向かって次第に細くなる先導部１１Ｄを有する本体部１１と、先導部１１Ｄに設けられるオーガ部１３と、本体部１１の上端部に設けられる軸部１５と、軸部１５を水平方向の第１の方向及び第１の方向とは異なる第２の方向に変位させる変位機構２と、を備える。
【００１３】
本体部１１は、杭頭部から杭１の長手方向のほぼ中央部までは外径がほぼ等しい管状の部材が用いられる。本体部１１は杭１の長手方向のほぼ中央部から先端部に向かって次第に細くなるように形成される。この次第に細くなる部分である先導部１１Ｄに、オーガ部１３が設けられる。
【００１４】
オーガ部１３は、細長い板状の部材を螺旋状に巻いた形状をなし、本体部１１の表面に対して略垂直に設けられる。オーガ部１３は先導部１１Ｄが細くなるに従って、先導部１１Ｄの形状に対応して内径が小さくなる。従って、オーガ部１３と本体部１１は、オーガ部１３の全長にわたって接続される。
【００１５】
本体部１１の先端部は尖った杭端部１４が設けられる。杭端部１４は板状に形成される。また、杭端部１４の根本付近には杭１を移動させる際に使用する治具をひっかける治具穴１４Ａが設けられる。
【００１６】
本体部１１の杭頭部には、板状の係合部材１２が設置される。係合部材１２は、本体部１１の外径より外径が大きい。係合部材１２の辺縁部には外部の回転力が伝達される複数の係合部１２Ａが設けられる。係合部１２Ａは、径方向中心に向かって凹となるように切り欠かれる。
【００１７】
係合部材１２の中心には軸部１５を挿通する軸穴１２Ｂが設けられる。軸穴１２Ｂの直径は軸部１５の外径より大きく、軸部１５の揺動が許される範囲の最大径以下である。つまり、係合部材１２の軸穴１２Ｂの縁によって軸部１５の揺動範囲が規制される。
【００１８】
軸部１５にはネジ切りが施される。本体部１１は、杭頭部付近に加工用の穴が設けられる場合がある。この場合、加工用の穴には適宜の部材が溶接されて塞がれる。
【００１９】
本体部１１、先導部１１Ｄ、オーガ部１３、及び軸部１５は同軸に設けられる。
【００２０】
本体部１１の杭頭部付近には変位機構２を係止するための係止穴が設けられ、変位機構２のバー１５Ｃ（図４参照。）がこの係止穴に挿通された状態において、溶接によって本体部１１に固定される。
【００２１】
（変位機構の構成と作用）
図４は、変位機構２の斜視図である。図４に示すように、変位機構２は、杭１が鉛直方向に埋設された場合に、前記本体部の内部に水平方向に渡されるバー１５Ｃと、水平方向と直交する鉛直方向に延びる軸部１５と、軸部１５の下端に設けられ、バー１５Ｃを挿通する挿通孔１５Ｂを有するリング１５Ａと、を備える。
【００２２】
変位機構２は、杭頭部の内部に設置される。
【００２３】
リング１５Ａは、軸部１５をバー１５Ｃに対して、第１の方向である、矢印Ｘ１に示す水平方向と、第１の方向とは異なる方向である、矢印Ｘ２に示す回動方向と、に軸部１５を変位させる。水平方向と回動方向とは互いに垂直になる。
【００２４】
また、軸部１５は係合部材１２の軸穴１２Ｂによって揺動範囲が規制される。従って、軸部１５は軸穴１２Ｂによって規制された範囲内において、変位する。このため、杭１は鉛直方向に対して斜めに埋設されてしまったとしても、変位機構２によってその埋設誤差を吸収することが可能となる。
【００２５】
以下、軸穴１２Ｂを揺動規制部ともいう。本実施形態においては、係合部材１２の軸穴１２Ｂが揺動規制部としての効果を有しているが、杭１は係合部材１２とは別体の部材として揺動規制部を有していてもよい。この場合、例えば揺動規制部は軸部１５を挿通し、本体部１１に固定されたリング状の部材を用いることができる。
【００２６】
（杭の埋設方法）
杭１は、杭１を回転させる回転装置を用いて地中に埋設される。回転装置の先端にはアタッチメントが設けられる。
【００２７】
図５は、第１の例に係るアタッチメント３を示す図である。図５に示すように、アタッチメント３は、回転装置の回転を伝える胴部３１と、胴部３１の端部に設けられ、係合部１２Ａに係合する係合突起３２と、を備える。
【００２８】
杭１を埋設する場合、まず杭１を埋設地点に杭端部１４が下になるように立てる。
【００２９】
次に、アタッチメント３の係合突起３２を全て係合部１２Ａに嵌める。
【００３０】
そして、回転装置を回転させる。杭１は、オーガ部１３が地中に潜り込むに従って地中に進行する。
【００３１】
ここで、係合部材１２は、板状に形成され、かつ、杭頭部に設置される。従って、係合部材１２を回転させると、杭１はオーガ部１３によって係合部材１２が地面Ｇ（図２参照。）に来るまで潜り込む。
【００３２】
このように、杭１は係合部材１２まで地面に埋設することが可能であるため、杭１に生じるモーメントを効率よく吸収できる。
【００３３】
図６は、第２の例に係るアタッチメント４を示す図である。図６に示すように、アタッチメント４は、回転装置の回転を伝える胴部４１と、胴部４１の端部に設けられ、係合部１２Ａに係合する係合突起４３及び軸部１５を挿通する穴部４２を有する嵌合凹部４４と、を備える。
【００３４】
杭１を埋設する場合、まず杭１を埋設地点に杭端部１４が下になるように立てる。
【００３５】
次に、係合部材１２をアタッチメント４の嵌合凹部４４に嵌める。
【００３６】
そして、回転装置を回転させる。杭１は、オーガ部１３が地中に潜り込むに従って地中に進行する。
【００３７】
アタッチメント４を使用した場合にも、杭１は係合部材１２まで地面に埋設することが可能である。
【００３８】
杭１の用途としては、限定はないが、特に工事などの際に設置される仮設ゲートの基礎用として用いることができる。
【００３９】
（本実施形態の効果）
以上述べたように、杭１は、先端に向かって次第に細くなる先導部１１Ｄを有する本体部１１と、先導部１１Ｄに設けられるオーガ部１３と、本体部１１の上端部に配置される軸部１５と、軸部１５を水平方向の第１の方向及び第１の方向とは異なる第２の方向に変位させる変位機構２と、を備える。
【００４０】
従って、本実施形態の杭１によれば、鉛直方向に対して傾斜して埋設されても構造物を設置することができるという効果がある。
【００４１】
また、杭１は、複数の係合部１２Ａが設けられ、杭頭部に設置される係合部材１２を備える。
【００４２】
従って、杭１は係合部材１２と地面との隙間がなくなるまで深く埋設することが可能となり、杭１に加わるモーメントを効率よく吸収することが可能となるという効果がある。
【００４３】
なお、変位機構２と係合部材１２の具体的な構成は上述の実施形態に限られるものではない。
【００４４】
例えば、変位機構２は、軸部の下端に球体を設け、バー１５Ｃにこの球体を受けるへこみを設けることによって軸部１５を変位可能にしてもよい。
【００４５】
また、変位機構２は、球ボルトを使用してもよい。この場合、バー１５Ｃには球ボルトのボルト部を上下方向に挿通する貫通孔が設けられる。球ボルトはネジ切りが施されたボルト部の一端にボルト部より径が大きい球状部を有する。貫通孔の下端には球ボルトの球部の抜けを規制する抜け止め用のフラット座金が設置される。球ボルトはバー１５Ｃのフラット座金側から貫通孔に挿通され、ボルト部の他端には六角ナットを介してターミナルナットが締結される。球部と六角ナットはターミナルナットが所望の範囲に揺動するように間隔が開けられる。ターミナルナットは、一端の軸方向内部にネジ切りが施され、球ボルトのボルト部はこのネジ切りにネジ込まれる。ターミナルナットの他端は外面にネジ切りが施され、軸部１５となる。
【００４６】
このように変位機構２を構成すると、球ボルトは六角ナットにより下方への移動が規制され、フラット座金に球部が引っ掛かることにより上方への移動が規制される。六角ナットと球部との間に間隔が設けられているため、軸部１５は揺動することが可能となる。
【００４７】
また、係合部材１２は係合部１２Ａの代わりに、突起部を設けてもよい。先導部１１Ｄは先端に向かって同径であってもよい。
【符号の説明】
【００４８】
１  杭
２  変位機構
３  アタッチメント
４  アタッチメント
１１  本体部
１１Ｄ  先導部
１２  係合部材
１２Ａ  係合部
１２Ｂ  軸穴
１３  オーガ部
１４  杭端部
１４Ａ  治具穴
１５  軸部
１５Ａ  リング
１５Ｂ  挿通孔
１５Ｃ  バー
３１  胴部
３２  係合突起
４１  胴部
４２  穴部
４３  係合突起
４４  嵌合凹部
Ｇ  地面
【図１】
2018096076.tif 000003
【図２】
2018096076.tif 000004
【図３】
2018096076.tif 000005
【図４】
2018096076.tif 000006
【図５】
2018096076.tif 000007
【図６】
2018096076.tif 000008